(57)【要約】【課題】  下方および壁面への配光が可能で，薄型化を図ることができる照明器具を提供する。【解決手段】  本発明の照明器具１０は、被取付面１１側に設けられ、アッパー側ＬＥＤ光源３３を有するアッパーユニット３０と、アッパーユニット３０の下方に設けられ、ロアー側ＬＥＤ光源４２を有するロアーユニット４０と、を有する。そして、上側にアッパーユニット３０が配設され、下側にロアーユニット４０が配設される器具本体２０を有する。また、アッパーユニット３０とロアーユニット４０とは、鉛直方向から見た平面視で重ならず、上下方向にオーバーラップして配設されているので、下方および壁面Ｗへの配光が可能で、照明器具１０の薄型化を図ることができる。【選択図】  図４
2012155939.tif 000002
【特許請求の範囲】
【請求項１】
被取付面側に設けられ、アッパー側ＬＥＤ光源を有するアッパーユニットと、
前記アッパーユニットの下方に設けられ、ロアー側ＬＥＤ光源を有するロアーユニットと、
上側に前記アッパーユニットが配設され、下側に前記ロアーユニットが配設される器具本体と、を有し、
前記アッパーユニットと前記ロアーユニットとが鉛直方向から見た平面視で重ならず、上下方向にオーバーラップしている照明器具。
【請求項２】
請求項１に記載の照明器具において、
前記器具本体が、
前記アッパーユニットを取り付けるために相対的に下方へ凹んだアッパー用凹部と、
前記ロアーユニットを取り付けるために相対的に上方へ凹んだロアー用凹部と、を有する照明器具。
【請求項３】
請求項１または請求項２に記載の照明器具において、
前記アッパーユニットを前記器具本体に取り付けるアッパー用取付ねじおよび前記ロアーユニットを前記器具本体に取り付けるロアー用取付ねじが、前記アッパーユニットおよび前記ロアーユニットからの光を遮らない長さである照明器具。
【請求項４】
請求項１ないし請求項３のうちのいずれか１項に記載の照明器具において、
前記器具本体において、前記アッパー用凹部と前記ロアー用凹部との間に、外側に向かって上方へ傾斜する傾斜面を有する照明器具。
【発明の詳細な説明】
【技術分野】
【０００１】
本発明は、ＬＥＤ（発光ダイオード）を光源として用い、主に天井面に取り付けられて主に下方を照明する照明器具に関するものである。
【背景技術】
【０００２】
本発明は、ＬＥＤ（発光ダイオード）を光源として用い、主に天井面に取り付けられて主に下方を照明する照明器具に関するものである。
図２２に示すように、特許文献１に記載の照明器具１００は、天井（図示省略）に吊り下げて設置される金属製の器具本体１０１と、複数の第１のＬＥＤモジュール（下方照明用ＬＥＤモジュール）１０２と、複数の第２のＬＥＤモジュール（上方照明用ＬＥＤモジュール）１０３を具備する。
【０００３】
器具本体１０１は、斜状または鉛直状で露出する境界壁部１０４、この境界壁部１０４の上端部に一体的に連続した第１の壁部１０５、境界壁部１０４の下端部に一体に連続して第１の壁部１０５と反対側でかつ第１の壁部１０５より低く配置された第２の壁部１０６を備える。
第１のＬＥＤモジュール１０２は、第１の壁部１０５に配設されて器具本体１０１の下側に光を照射する。第２のＬＥＤモジュール１０３は、第２の壁部１０６に配設されて器具本体１０１の上側に光を照射する。
【先行技術文献】
【特許文献】
【０００４】
【特許文献１】特開２００９−２３１０２８号公報（第２図）
【発明の概要】
【発明が解決しようとする課題】
【０００５】
しかしながら、前述した特許文献１に記載の従来の照明器具１００においては、薄型化を考慮して，上方照明用の第２のＬＥＤモジュール１０３は、下方照明用の第１のＬＥＤモジュール１０２よりも下側に対して配置されている。このため、第２のＬＥＤモジュール１０３は天井面への配光となり、壁面への広がりが得られないという問題があった。
また、壁面方向に配光する壁面用のＬＥＤモジュールを設けると、薄型化が困難になるという問題があった。
【０００６】
本発明は、従来の問題を解決するためになされたもので、下方および壁面への配光が可能で、薄型化を図ることができる照明器具を提供することを目的とする。
【課題を解決するための手段】
【０００７】
本発明の照明器具は、被取付面側に設けられ、アッパー側ＬＥＤ光源を有するアッパーユニットと、前記アッパーユニットの下方に設けられ、ロアー側ＬＥＤ光源を有するロアーユニットと、上側に前記アッパーユニットが配設され、下側に前記ロアーユニットが配設される器具本体と、を有し、前記アッパーユニットと前記ロアーユニットとが鉛直方向から見た平面視で重ならず、上下方向にオーバーラップしたものである。
【０００８】
また、本発明の照明器具は、前記器具本体が、前記アッパーユニットを取り付けるために相対的に下方へ凹んだアッパー用凹部と、前記ロアーユニットを取り付けるために相対的に上方へ凹んだロアー用凹部と、を有するものである。
【０００９】
また、本発明の照明器具は、前記アッパーユニットを前記器具本体に取り付けるアッパー用取付ねじおよび前記ロアーユニットを前記器具本体に取り付けるロアー用取付ねじが、前記アッパーユニットおよび前記ロアーユニットからの光を遮らない長さであるものである。
【００１０】
さらに、本発明の照明器具は、前記器具本体において、前記アッパー用凹部と前記ロアー用凹部との間に、外側に向かって上方へ傾斜する傾斜面を有するものである。
【発明の効果】
【００１１】
本発明は、上方および壁面への配光を行うアッパーユニットと、下方への配光を行うロアーユニットとが、鉛直方向から見た平面視で重ならず、上下方向にオーバーラップして配設されているので、下方および壁面への配光が可能で、かつ、照明器具の薄型化を図ることができるという効果を有する照明器具を提供できる。
【図面の簡単な説明】
【００１２】
【図１】本発明に係る第１実施形態の照明器具を下方から見た全体斜視図
【図２】本発明に係る第１実施形態の照明器具を下方から見た分解斜視図
【図３】本発明に係る第１実施形態の照明器具の中心を通る断面図
【図４】本発明に係る第１実施形態の器具本体の概略断面図
【図５】ロアーユニットの分解斜視図
【図６】レンズカバーを介して照射されるロアーユニットの光の方向を示す説明図
【図７】器具本体と反射板の分解斜視図
【図８】（Ａ）は反射板を下方から見た底面図であり、（Ｂ）は（Ａ）中Ｂ方向から見た側面図であり、（Ｃ）は（Ａ）中Ｃ方向から見た側面図
【図９】図８（Ａ）中ＩＸ−ＩＸ位置の断面形状を示す模式拡大図
【図１０】図８（Ａ）中Ｘ−Ｘ位置の断面形状を示す模式拡大図
【図１１】照明器具を上方から見た平面図
【図１２】アッパーユニットの分解斜視図
【図１３】アッパーユニットの照射光と、アッパー用取付ねじおよびロアーユニット用取付ねじとの関係を示す断面図
【図１４】器具本体、反射部材および上枠の取付部を示す断面図
【図１５】（Ａ）は上枠の上面が天井面に対して平行な場合を示す断面図であり、（Ｂ）は角度を有する場合を示す断面図
【図１６】（Ａ）はパネルを下方から見た底面図であり、（Ｂ）ないし（Ｄ）は孔の例を示す拡大図
【図１７】（Ａ）はパネルカバーの別の例でありパネルカバーがパネルの幅に比して小さい場合を示すパネルの底面図、（Ｂ）はパネルの４辺に沿ってパネルカバーを設ける場合を示す底面図、（Ｃ）は円形のパネルにパネルカバーを設ける場合の底面図
【図１８】光の照射状態を示す説明図
【図１９】（Ａ）は直立した傾斜面の場合におけるアッパーユニットからの光の照射状態を示す説明図であり、（Ｂ）は所定の角度で傾斜した傾斜面の場合における照射状態を示す説明図
【図２０】本発明に係る第２実施形態の照明器具を下方から見た分解斜視図
【図２１】本発明に係る第２実施形態の照明器具で用いられる反射板およびロアーユニットの配置を示す底面図
【図２２】従来の照明器具の断面図
【発明を実施するための形態】
【００１３】
（第１実施形態）
以下、本発明に係る第１実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方，下側等）は床面側を意味する。
【００１４】
図１に示すように、本発明に係る第１実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する例えば正方形の板状の器具本体２０を有する。
器具本体２０の上側（すなわち、天井面１１側）には、アッパーユニット３０、上枠３２および上パネル３１が設けられている。また、器具本体２０の下側（すなわち、照明方向側）には、ＬＥＤユニットであるロアーユニット４０、反射部材である反射板６０が設けられており、反射板６０の下方には、受けた光を拡散する透光性のパネル５０が取り付けられる。
【００１５】
図４に示すように、器具本体２０は、一枚物の板金から形成されており、中央に取付状態で天井面１１と平行な上段２０１を有し、上段２０１の外側に下段２０２を有する。また、上段２０１と下段２０２との間の上縦壁２０３と、下段２０２から下方へ向かう下縦壁２０４を有する。
なお、ここで一枚物の板金とは、１枚の金属板から折り曲げ加工により形成するものに限らず、溶接、接続部材（ねじ等）によって連結されているものも含まれる。
【００１６】
下段２０２は、上縦壁２０３側にアッパーユニット３０を取り付けるために相対的に下方へ凹んだアッパー用凹部２０２Ａを有し、アッパー用凹部２０２Ａの外側にロアーユニット４０を取り付けるために相対的に上方へ凹んだロアー用凹部２０２Ｂとを有する。アッパー用凹部２０２Ａと、ロアー用凹部２０２Ｂとの間の段差には、器具本体２０の外側に向かって上方へ傾斜する傾斜面２０２Ｃが設けられている。
すなわち、アッパー用凹部２０２Ａはロアー用凹部２０２Ｂの内側にあり、かつ、アッパー用凹部２０２Ａとロアー用凹部２０２Ｂとは、傾斜面２０２Ｃを挟んで上下方向にオーバーラップしている。
なお、傾斜面２０２Ｃの上端は、円弧状として、エッジを設けないようにするのが望ましい。
【００１７】
ここで、一枚物の板金とは、１枚の金属板から折り曲げ加工により形成するものに限らず、溶接等で一体化されたような板金も含む。
また、アッパー用凹部２０２Ａ、傾斜面２０２Ｃおよびロアー用凹部２０２Ｂは、上縦壁２０４に沿って全周にわたって設けることができるが、アッパーユニット３０およびロアーユニット４０がある場所だけ設けることもできる。
【００１８】
天井面１１側の上段２０１は平面視で例えば正方形状をしており、上縦壁２０３は四辺から下方へ設けられる。同様に、下縦壁２０４は、下段２０２の四辺から下方へ設けられる。
上縦壁２０３の外面には、光源としてのアッパー側ＬＥＤ光源３３を有するアッパーユニット３０が、外向きに照射するように取り付けられ、アッパーユニット３０の下端部は、器具本体２０のアッパー用凹部２０２Ａに嵌合する。ここでは、各上縦壁２０３に、例えば１個のアッパーユニット３０がそれぞれ設けられている（図１１参照）が、数は限定するものではない。
【００１９】
また、対向する一対の下縦壁２０４の内面には、光源としてのロアー側ＬＥＤ光源４２を有するロアーユニット４０が、器具本体２０の内側向きに照射するように取り付けられ、ロアーユニット４０の上端部は器具本体２０のロアー用凹部２０２Ｂに嵌合する。ここでは、各下縦壁２０４に、例えば２個のロアーユニット４０がそれぞれ設けられている（図１１参照）が、数は限定するものではない。
すなわち、アッパーユニット３０とロアーユニット４０とは、鉛直方向から見た平面視で重ならず、上下方向にオーバーラップすることになる。
【００２０】
上述したように、アッパー側ＬＥＤ光源３３およびロアー側ＬＥＤ光源４２の全ての光源が、１枚の板金からなる器具本体２０に取り付けられることになる。
これにより、アッパーユニット３０に対する放熱領域Ｒ１およびロアーユニット４０に対する放熱領域Ｒ２が形成される。
なお、器具本体２０を、熱伝導率が０．１Ｗ／ｍＫ以上の放熱性を有するポリカやアクリルで形成することも可能である。
また、器具本体２０におけるアッパー側ＬＥＤ光源３３の照射方向前方である下段２０２の上面は、反射率の高い塗装、例えば白塗装もしくは鏡面仕上げを施すのが望ましい。
【００２１】
図７に示すように、器具本体２０の中央部下面には、器具本体２０を天井面１１の引っ掛けシーリング１２に取り付けるための取付金具２１が貫通して設けられている。この取付金具２１の周囲には、全周に亘って取付金具２１を囲う金具ケース２４が、器具本体２０の下面から下方へ突設されている。金具ケース２４には、蓋６１が着脱可能に取り付けられる。また、器具本体２０の下面には、照明器具１０の点灯を制御する制御部６２が設けられる。
なお、蓋６１の下面６１１および制御部６２の下面６２１は、後述するように、反射板６０の一部を構成する。
また、器具本体２０には、ロアーユニット４０が設けられていない一対の対向する辺に沿って、各々一対の取付用開口部２５が設けられている。
【００２２】
図５に示すように、ロアーユニット４０は、全体細長い長方形状をしており、最下層に長方形の本体４３を有する。本体４３は、放熱性を向上させるため、アクリルにより形成されており、ロアーユニット４０を器具本体２０に取り付けるための一対のブラケット４３１が設けられている。
これにより、ロアー側ＬＥＤ光源４２が発した熱を効率的に放熱できるので、ロアーユニット４０の寿命を大幅に延ばすことができる。
【００２３】
本体４３の上には、複数のロアー側ＬＥＤ光源４２を実装したＬＥＤ基板４４が取り付けられる。例えば、ロアー側ＬＥＤ光源４２は、ＬＥＤ基板４４上に１列の直線上に配列されている。
【００２４】
本体４３の上には、ロアー側ＬＥＤ光源４２およびレンズとしてＬＥＤ基板４４を覆う難燃性の樹脂で形成された透光性のレンズカバー４５が配設される。
これにより、ユーザ等が直接ロアー側ＬＥＤ光源４２に触ることがないようにするとともに、ロアー側ＬＥＤ光源４２が発した光の集光を可能にしている。
図１３に示すように、ロアーユニット４０は、ロアー用取付ねじ４１により器具本体２０のロアー用凹部２０２Ｂの下面に取り付けられる。この際、ロアー用取付ねじ４１の先端が、後述するように（図１５参照）、アッパーユニット３０からの光の反射面となる上枠３２の上面３２１よりも上側に突出しない長さとして、ロアー用取付ねじ４１がアッパーユニット３０の光を遮らないようにしている。
【００２５】
また、図６に示すように、ロアー側ＬＥＤ光源４２から発せられる光は、レンズカバー４５を通過することにより、天井面１１に対して平行から角度θ１だけ被取付面側に照射されるのが望ましい。このときの集光角度は２・θ２となる。例えば、角度θ１を５度、角度θ２を１０度に設定することができる。
なお、レンズカバー４５によってロアーユニット４０による照射方向を角度θ１だけ被取付面側に設定する代わりに、あらかじめロアー側ＬＥＤ光源４２の向きを角度θ１だけ被取付面側に設定することもできる。
【００２６】
図３および図７に示すように、器具本体２０の下方（図３において下方）には、器具本体２０より一回り小さい全体矩形状の反射板６０が、取り付けられている（図２参照）。
すなわち、反射板６０は、器具本体２０の外縁部に取り付けられているロアーユニット４０の内側に取り付けられており、下面は、光を反射するように、白色塗装あるいは鏡面仕上げが施されている。ロアーユニット４０は、反射板６０の下面に向かって光を照射する。
なお、説明の都合上、図８ないし図１０においては、使用状態における下側を上にして図示する。
【００２７】
図７および図８に示すように、反射板６０は全体矩形状をしており、下方（図８ないし図１０において上方）に尖った略四角錐形状を呈している。反射板６０の４辺からなる外周辺６０１は一平面状にあり、ロアーユニット４０が設けられていない一対の対向する辺に沿って、各々一対の取付用開口部６６が設けられている。
外周辺６０１の内側は、取付金具２１を避けた傾斜面として、対向する外周辺６０１の中心点６０２同士を結んだ線により分割される４個の領域６３１（図１１中ハッチングで表示）、６３２，６３３，６３４を有する。
なお、以下の説明において各領域を総称する場合には、「領域６３」で示す。
【００２８】
各領域６３は、平面視で矩形状をしており、直交する２本の外周辺６０１、６０１と、隣接する領域６３との境界である２本の交線Ｌ１、Ｌ１とを有する。各領域６３は、反射板６０の頂点Ｐ１に向かって傾斜しており、頂点Ｐ１が下方へ最も高くなっている。
各領域６３は、２つの中心点６０２、６０２を結んだ区画線Ｌ２により、角点Ｐ２側と頂点Ｐ１側に区画される。さらに、頂点Ｐ１側は、頂点Ｐ１の近傍で、略区画線Ｌ２と平行な区画線Ｌ３と、交線Ｌ１の近傍において、頂点Ｐ１側から外周辺６０１に向かって拡幅する区画線Ｌ４とを有する。
【００２９】
図９に基づいて、各領域６３において、頂点Ｐ１と角点Ｐ２とを結ぶ線（図８（Ａ）中二点鎖線で表示）に沿った断面の構成を説明する。なお、図９においては、鉛直方向の寸法を誇張して示してある。
角点Ｐ２と、区画線Ｌ２との交点Ｐ３との間は、上方（図において下方）に凸の半径Ｒ１の円（以後、「円Ｒ１」で表示）で構成される。また、交点Ｐ３と、区画線Ｌ３との交点Ｐ４との間は、上方（図において下方）に凸の半径Ｒ２の円（「円Ｒ２」で表示）で構成される。交点Ｐ３において、円Ｒ１の接線と円Ｒ２の接線は一致しており、円Ｒ１と円Ｒ２との間はなめらかに接続されていて明確な境界は無い。
なお、両円Ｒ１、Ｒ２の半径は、Ｒ１＞Ｒ２となっている。
【００３０】
交点Ｐ４と頂点Ｐ１との間は、下方（図において上方）に凸の半径Ｒ３の円（以後、「円Ｒ３」で表示）で構成される。交点Ｐ４において、円Ｒ２の接線と円Ｒ３の接線は一致しており、両円Ｒ２、Ｒ３はなめらかに接続されていて明確な境界は無い。また、頂点Ｐ１において、円Ｒ３の接線は，水平になっている。
【００３１】
次に、図１０に基づいて，隣接する領域６３との関係について説明する。なお、図１０においては、鉛直方向の寸法を誇張して示してある。
図１０に示すように、隣接する領域６３の交線Ｌ１を挟んだ区画線Ｌ４，Ｌ４の間は、下方（図において上方）に凸の半径Ｒ４の円（「円Ｒ４」で表示）で構成される。円Ｒ４の接線は、交線Ｌ１上において水平となる。
なお、図８（Ａ）に示すように、区画線Ｌ４、Ｌ４は、頂点Ｐ１に向かうに従って幅が狭まり、区画線Ｌ３において交わって消滅する。このため、円Ｒ４も、区画線Ｌ３で消滅する。
【００３２】
円Ｒ４の外側は、前述した上方に凸の円Ｒ２が連続する。区画線Ｌ４上における円Ｒ４の接線と、円Ｒ２の接線は一致しており、円Ｒ４と円Ｒ２との間はなめらかに接続されていて明確な境界は無い。なお、円Ｒ１および円Ｒ２は、図９で示した断面における半径が各々Ｒ１およびＲ２であり、図１０に示す断面においては半径が異なるので、図中円Ｒ１の半径をＲ１Ｂで示し、円Ｒ２の半径をＲ２Ｂで示す。
【００３３】
図７および図８（Ａ）に示すように、反射板６０の中央部には器具本体２０に設けられている金具ケース２４に対応して取付金具用開口部６４が設けられており、取付金具用開口部６４には、蓋６１が着脱可能に取り付けられる。
これにより、取付金具２１の引っ掛けシーリング１２への着脱を可能にしている。
なお、蓋６１の下面６１１は前述した形状に形成されるとともに、反射板６０と同様に光を反射するようになっている。
【００３４】
また、反射板６０の所定位置には、器具本体２０に取り付けられる制御部６２用の開口部６５が設けられており、制御部６２の下面６２１が開口部６５から反射板６０の表面に露出している。これにより、反射板６０の薄型化を図っている。ここでは、例えば交線Ｌ１および一対の区画線Ｌ４、Ｌ４に跨がって配設されており、制御部６２の下面６２１は、前述した形状に形成されるとともに、反射板６０と同様に光を反射するようになっている。
従って、蓋６１および制御部６２を取り付けた状態で、反射板６０は前述した形状に形成される。
【００３５】
従って、ロアーユニット４０から発せられた光は、反射板６０に向かって照射されて下方へ反射される。このとき、反射板６０の形状が、所定の半径を有する円弧面の組合せで形成され、各円の境界における接線が共通になるように構成されているので、均一に反射して、パネル５０に入射する。
これにより、図７に示すように、所定間隔で２個のロアーユニット４０が配設されている場合でも、両ロアーユニット４０の間に対応する領域にも光を照射することができるので、暗部の発生を防止できる。
【００３６】
図１４に示すように、器具本体２０の上側には上枠３２配設され、器具本体２０の下側には反射板６０が配設されている。上枠３２には係止突起３２２が下方へ突設されており、器具本体２０の上側から、器具本体２０の取付用開口部２５および反射板６０の取付用開口部６６を貫通して、反射板６０の下面を係止している。
これにより、ねじ２３で反射板６０と器具本体２０とを接続するとともに、反射板６０および器具本体２０および上枠３２を一体的に接続している。
【００３７】
図１１に示すように、アッパーユニット３０は、器具本体２０に設けられている取付金具２１の周囲を囲うように設けられている器具本体２０の上縦壁２０３の外面に取り付けられ、外向きに光を照射する。
また、アッパーユニット３０は、平面視において、器具本体２０におけるロアーユニット４０（図１１中破線で表示）の内側に配設されている。
【００３８】
なお、アッパーユニット３０の平面配置は、取付金具２１に近い位置すなわち器具本体２０の中央側でもよく、あるいは、器具本体２０の外縁側でもよい。
取付金具２１に近い場合には、天井面１１への間接光をより広い面積で照射可能であり、照明器具１０が浮遊した感じになって薄さ感を出すことができる。
また、器具本体２０の外縁側に設けた場合には、アッパーユニット３０とロアーユニット４０が近くなるので、電力供給用の配線を短くしたり、長期使用時における照明器具１０上面に溜まるほこり等を少なくすることができる。
【００３９】
図１２に示すように、アッパーユニット３０は、全体細長い長方形状をしており、最下層に長方形の本体３４を有する。本体３４は、放熱性を向上させるため、アクリルにより形成されており、アッパーユニット３０を器具本体２０に取り付けるための一対のブラケット３４１が設けられている。
これにより、アッパー側ＬＥＤ光源３３が発した熱を効率的に放熱できるので、アッパーユニット３０の寿命を大幅に延ばすことができる。
【００４０】
本体３４の上には、複数のアッパー側ＬＥＤ光源３３を実装したＬＥＤ基板３５が取り付けられる。例えば、アッパー側ＬＥＤ光源３３は、ＬＥＤ基板３５上に１列の直線上に配列されている。
【００４１】
本体３４の上には、アッパー側ＬＥＤ光源３３およびＬＥＤ基板３５を覆う難燃性の樹脂で形成された透光性のレンズカバー３６が配設される。
これにより、ユーザ等が直接アッパー側ＬＥＤ光源３３に触ることがないようにするとともに、アッパー側ＬＥＤ光源３３が発した光の集光を可能にしている。
【００４２】
図１３に示すように、アッパーユニット３０は、ロアー用取付ねじ３７により器具本体２０のアッパー用凹部２０２Ａの上面に取り付けられる。この際、ロアー用取付ねじ３７の先端が反射板６０に届かない長さとして、ロアー用取付ねじ３７がロアーユニット４０の光を遮らないようにしている。
なお、アッパー側ＬＥＤ光源３３から発せられる光は、レンズカバー３６を通過することにより、水平よりも天井面１１側（被取付面側）に照射されるのが望ましい。あるいは、レンズカバー３６によってアッパーユニット３０による照射方向を被取付面側に設定する代わりに、あらかじめアッパー側ＬＥＤ光源３３の向きを被取付面側に設定することもできる。
なお、アッパーユニット３０の高さは、器具本体２０に取り付けられている取付金具２１の高さより大きくするのが望ましい。
また、ロアーユニット４０の光量を、アッパーユニット４０の光量以上とするのが望ましい。
【００４３】
図１４に示すように、器具本体２０の上方（天井面１１側）には、上枠３２が配設されており、上枠３２の下面には係止突起３２２が下方に向けて突設されている。係止突起３２２は、器具本体２０の開口２５および反射板６０の取付用開口部６６を貫通して、上枠３２と、器具本体２０と、反射板６０とを一体的に取り付けている。
一方、反射板６０は、ねじ２３により器具本体２０に取り付けられており（図２参照）、薄板からなる反射板６０を薄板の器具本体２０に取り付けるため、ねじ２３の先端が突出する場合がある。
このため、上枠３２の高さＨ１を、器具本体２０の上面から突出するねじ２３の突出量Ｈ２よりも大きく設定して、ねじ２３の先端が上枠３２から突出しないようにする。
【００４４】
図３および図１１に示すように、上枠３２は、ロアーユニット４０と、ロアーユニット４０よりも平面視で器具本体２０の中心側に配設したアッパーユニット３０との上下方向における間に位置する。
図１５（Ａ）には、上枠３２の上面３２１が天井面１１に対して平行な場合が示されている。上面３２１は、光不透過であり，白色塗装あるいは鏡面仕上げを施すのが望ましい。
この場合は、上面３２１で反射した光が、照明器具１０が取り付けられている近くの天井面１１側へ照射されるので、天井面１１や壁面Ｗ（図１８参照）への照射範囲を比較的狭くしたい場合に適する。
【００４５】
一方、図１５（Ｂ）には、上枠３２の上面３２２が天井面１１に対して角度を有する場合が示されている。上面３２２は、光不透過であり，白色塗装あるいは鏡面仕上げを施すのが望ましい。
この場合は、上面３２２の傾斜角度を調整することにより、上面３２２で反射した光が遠くまで達するので、天井面１１や壁面Ｗ（図１８参照）への照射範囲を比較的広くしたい場合に適する。
なお、上枠３２の上面を、天井面１１に対して平行な面と角度を有する面とを組み合わせて形成することも可能である。
【００４６】
図２および図３に示したように、ロアーユニット４０の下方には、パネル５０が着脱可能に取り付けられる。パネル５０は、照射された光を拡散するものであり、複数箇所に、光透過率が低いパネルカバー５１を設けられている。
図１６に示すように、パネルカバー５１は、パネル５０において器具本体２０の中心に対して対称な端部付近の対向する２辺に沿って設けられている。また、パネルカバー５１は、ロアーユニット４０が設けられている位置（図１６（Ａ）において破線で表示）に対応して設けられている。
【００４７】
また、パネルカバー５１は、少なくとも第１の孔５２を有し、第１の孔５２の内側には、明るさセンサ、人感センサ、熱センサ、信号送信装置からの信号を受信するための受信センサのうちの少なくとも一つが配設されている。
さらに、パネルカバー５１は、少なくとも第２の孔５３を有し、第２の孔５３の内側には、照明器具１０の動作状態を示すための信号を発する発信手段が配設されている。
【００４８】
第１の孔５２および第２の孔５３は、複数個のロアーユニット４０が長手方向に直線状に並んで設けられている場合には、ロアーユニット４０の間に設けるのが望ましい（図１６（Ａ）参照）。
例えば、２個のロアーユニット４０が長手方向に並んで設けられている場合には、図１６（Ａ）に示すように、第１の孔５２および第２の孔５３をパネルカバー５１の略中央に設けることができる。
なお、孔５２，５３は、図１６（Ｂ）に示すように、２個に限るものではない。図１６（Ｃ）に示すように、３個の孔５２，５３，５４を設けたり、図１６（Ｄ）に示すように、４個の孔５２，５３，５４、５５を設けることもできる。
また、孔５２，５３，５４、５５の形状も、丸孔に限るものではない。
さらに、孔５２，５３，５４、５５を設ける場所は、１個のパネルカバー５１に限らず、複数個のパネルカバー５１に設けることもできる。
【００４９】
図１７（Ａ）ないし（Ｃ）には、パネルカバー５１の別の例が示されている。
図１７（Ａ）では、パネルカバー５１１の長さをパネル５０の幅に比して小さくして、光の不透過部分を狭くした場合を示す。
図１７（Ｂ）では、パネルカバー５１２を、パネル５０の４辺に沿って設けた場合を示す。
さらに、図１７（Ｃ）では、円形のパネル５０Ｂに２個のパネルカバー５１３を対称な位置に設けた場合を示す。パネルカバー５１３は、パネル５０Ｂの形状に対応して、部分円弧状となっている。
【００５０】
図１８に示すように、照明器具１０のロアーユニット４０から、照明器具１０の内部に向かって発せられた光Ｌ１は、反射板６０で下方に反射してパネル５０に入射して拡散する。これにより、パネル５０全体が光源となって下方を照明する。
一方、照明器具１０のアッパーユニット３０から照明器具１０の外側へ発せられた光Ｌ２は、一部は天井面１１と平行に照射されて，壁面Ｗを照明する。また、一部は上方へ照射されて天井面１１に当たり、下方へ反射して壁面Ｗを照明する。さらに、一部は下方へ照射されて照明器具１０の上枠３２に当たって上方へ反射し，天井面１１を照明する。あるいは、さらに天井面１１で反射して壁面Ｗを照明する。
【００５１】
このとき、アッパーユニット３０は、器具本体２０においてアッパー用凹部２０２Ａに嵌合している。このため、図１９（Ａ）に示すように傾斜面２０２Ｃが直立している場合には、下方へ照射された光が直立した段差に当たるため光が明るい部分でカットされる（図１９（Ａ）中Ｐ５）という問題がある。
一方、本発明に係る照明器具１０では、アッパーユニット３０の前方の傾斜面２０２Ｃが外側へ向かって上方へ傾斜しているとともに、傾斜面２０２Ｃの上端にＲが設けられているため、傾斜面２０２Ｃに当たった光は上方へ反射する。このため、図１９（Ｂ）に示すように下方へ照射された光は、傾斜面２０２Ｃで明確に遮られないので、明るい部分でカットされずに配光される（図１９（Ｂ）中Ｐ６）。
【００５２】
以上、説明した本発明に係る第１実施形態の照明器具１０は、天井面１１側に設けられ、アッパー側ＬＥＤ光源３３を有するアッパーユニット３０と、アッパーユニット３０の下方に設けられ、ロアー側ＬＥＤ光源４２を有するロアーユニット４０と、を有する。そして、上側にアッパーユニット３０が配設され、下側にロアーユニット４０が配設される器具本体２０を有する。
また、アッパーユニット３０とロアーユニット４０とは、鉛直方向から見た平面視で重ならず、上下方向にオーバーラップして配設されているので、下方および壁面への配光が可能で、照明器具１０の薄型化を図ることができる。
【００５３】
また、器具本体２０が、アッパーユニット３０を取り付けるために相対的に下方へ凹んだアッパー用凹部２０２Ａと、ロアーユニット４０を取り付けるために相対的に上方へ凹んだロアー用凹部２０２Ｂと、を有するので、器具本体２０の薄型化を図ることができる。これにより、照明器具１０の薄型化が図れる。
また、器具本体２０は、アッパー用凹部２０２Ａとロアー用凹部２０２Ｂとの間に傾斜面２０２Ｃを有し、傾斜面２０２Ｃがリブの役目を果たすので、器具本体２０剛性が増す。これに伴い、照明器具１０の剛性が増す。
【００５４】
また、アッパーユニット３０を器具本体２０に取り付けるアッパー用取付ねじ３７およびロアーユニット４０を器具本体２０に取り付けるロアー用取付ねじ４１が、アッパーユニット３０およびロアーユニット４０からの光を遮らない長さとした。このため、アッパー用取付ねじ３７およびロアー用取付ねじ４１が照射光を遮らないので、影が映らない。
【００５５】
また、アッパー用凹部２０２Ａの外側にロアー用凹部２０２Ｂが設けられ、アッパー用凹部２０２Ａとロアー用凹部２０２Ｂとの境界に、外側に向かって上方へ傾斜する傾斜面２０２Ｃを設けた。このため、アッパーユニット３０からの光は傾斜面２０２Ｃで上方外向きに反射するので、境界が影にならず、効率よく壁面Ｗに配光することができる。
【００５６】
（第２実施形態）
次に、本発明に係る第２実施形態の照明器具について、図面を用いて説明する。
なお、前述した第１実施形態に係る照明器具１０と共通する部位には同じ符号を付して、重複する説明を省略することとする。
【００５７】
図２０および図２１に示すように、第２実施形態の照明器具１０Ｂにおける反射板６０Ｂは、中央に向かって下方へ傾斜する傾斜面６７を有し、全体下方へ尖った山型形状を呈する。反射板６０Ｂの下面は、光を反射するように、白色塗装あるいは鏡面仕上げが施されている。
反射部材６０Ｂにおいて器具本体２０の一対の下縦壁２０４（図４参照）に対向する両端部は、切り欠かれて開口部６７１がそれぞれ設けられている。一対の下縦壁２０４に設けられたロアーユニット４０は、開口部６７１から反射部材６０Ｂの下方に突出している。また、中央部６７２は、器具本体２０の中心に設けられている取付金具２１と干渉しないように、高くなっている。
【００５８】
従って、ロアーユニット４０から発せられた光は、パネル５０におけるロアーユニット４０から最も遠い部分Ｒ，すなわち反射板６０の中央部６７２に照射される。そして、傾斜面６７および中央部６７２において下方へ反射して、パネル５０に入射する。
なお、図６において前述したように、ロアー側ＬＥＤ光源４２から発せられる光は、レンズカバー４５を通過させて角度θ１だけ被取付面側に照射することにより、確実に反射板６０Ｂで反射させて、パネル５０に入射させて発光させることができる。
【００５９】
また、第１実施形態の反射板６０で示したように、反射板６０Ｂの中央に取付金具用開口部（６４）を設けて蓋（６１）を着脱可能に取り付けることもできる。
さらに、反射板６０Ｂに制御部６２用の開口部（６５）を設け、制御部６２の下面６２１が反射板６０Ｂの一部を構成するようにすることもできる。
【００６０】
なお、本発明の照明器具は、前述した実施形態に限定されるものでなく、適宜な変形，改良等が可能である。
【符号の説明】
【００６１】
１０  照明器具
１１  天井面（被取付面）
２０  器具本体
２０２Ａ  アッパー用凹部
２０２Ｂ  ロアー用凹部
２０２Ｃ  傾斜面
３０  アッパーユニット
３３  アッパー側ＬＥＤ光源
３７  アッパー用取付ねじ
４０  ロアーユニット
４１  ロアー用取付ねじ
４２  ロアー側ＬＥＤ光源
【図１】
2012155939.tif 000003
【図２】
2012155939.tif 000004
【図３】
2012155939.tif 000005
【図４】
2012155939.tif 000006
【図５】
2012155939.tif 000007
【図６】
2012155939.tif 000008
【図７】
2012155939.tif 000009
【図８】
2012155939.tif 000010
【図９】
2012155939.tif 000011
【図１０】
2012155939.tif 000012
【図１１】
2012155939.tif 000013
【図１２】
2012155939.tif 000014
【図１３】
2012155939.tif 000015
【図１４】
2012155939.tif 000016
【図１５】
2012155939.tif 000017
【図１６】
2012155939.tif 000018
【図１７】
2012155939.tif 000019
【図１８】
2012155939.tif 000020
【図１９】
2012155939.tif 000021
【図２０】
2012155939.tif 000022
【図２１】
2012155939.tif 000023
【図２２】
2012155939.tif 000024